(57)【要約】【課題】フィルタをさらに効率良く再生できる排気ガス浄化装置を提供する。【解決手段】排気ガス浄化装置１は、排気管７と、排気管７に設けられて排気ガス中に含まれる粒子状物質を捕集するフィルタ４と、フィルタ４に堆積した粒子状物質を除去する再生機構を有する。再生機構は、フィルタ４の上流において排気ガスに未燃燃料を添加する未燃燃料添加器３と、排気ガスの温度を検出する排気ガス温度検出器と、エンジン１０に供給される空気流量を検出する空気流量検出器と、空気流量検出器から得た空気流量に基づいて下限温度閾値を決定しかつ排気ガス温度検出器から得た排気ガスの温度が下限温度閾値よりも高い場合に未燃燃料添加器３を制御して未燃燃料を排気ガスに添加する制御ユニット６を有する。【選択図】図１
2013044238.tif 000002
【特許請求の範囲】
【請求項１】
エンジンの排気ガス浄化装置であって、
排気管と、前記排気管に設けられて排気ガス中に含まれる粒子状物質を捕集するフィルタと、前記フィルタに堆積した前記粒子状物質を除去する再生機構を有し、
前記再生機構は、前記フィルタの上流において前記排気ガスに未燃燃料を添加する未燃燃料添加器と、前記排気ガスの温度を検出する排気ガス温度検出器と、前記エンジンに供給される空気流量または前記エンジンから排出される空気流量を検出する空気流量検出器と、前記空気流量検出器から得た前記空気流量に基づいて下限温度閾値を決定しかつ前記排気ガス温度検出器から得た前記排気ガスの温度が前記下限温度閾値よりも高い場合に前記未燃燃料添加器を制御して前記未燃燃料を前記排気ガスに添加する制御ユニットを有する排気ガス浄化装置。
【請求項２】
請求項１に記載の排気ガス浄化装置であって、
前記未燃燃料添加器と前記フィルタの間に酸化触媒が配置されている排気ガス浄化装置。
【請求項３】
請求項１または２に記載の排気ガス浄化装置であって、
前記制御ユニットは、前記空気流量が多いほど前記下限温度閾値を小さくする制御を有する排気ガス浄化装置。
【請求項４】
請求項１〜３のいずれか１つに記載の排気ガス浄化装置であって、
前記制御ユニットは、前記下限温度閾値として排気ガス温度閾値を決定するマップを記憶しており、前記排気ガス温度検出器から得た前記排気ガスの温度が前記排気ガス温度閾値よりも高い場合に前記未燃燃料を前記排気ガスに添加する排気ガス浄化装置。
【請求項５】
請求項１〜３のいずれか１つに記載の排気ガス浄化装置であって、
前記制御ユニットは、前記空気流量検出器から得た前記空気流量と、前記排気ガス温度検出器から得た前記排気ガス温度から前記排気管の壁温度を推定し、推定した前記排気管の壁温度と前記空気流量以外の条件からなるマップから壁温度閾値を決定し、推定した前記排気管の壁温度が前記壁温度閾値よりも高い場合に前記未燃燃料添加器を制御して前記未燃燃料を前記排気ガスに添加する排気ガス浄化装置。
【請求項６】
請求項１〜５のいずれか１つに記載の排気ガス浄化装置であって、
前記空気流量検出器は、前記エンジンに供給される新気の流量を検出するエアフローメータ、前記排気ガスに含まれる空気と燃料の比率を検出するＡ／Ｆセンサ、前記エンジンの気筒に供給される空気の圧力を検出する過給圧センサのうちの１つを利用する排気ガス浄化装置。
【発明の詳細な説明】
【技術分野】
【０００１】
本発明は、エンジンの排気ガスを浄化する排気ガス浄化装置に関する。
【背景技術】
【０００２】
排気ガス浄化装置は、例えば排気管と、排気管に設けられて排気ガス中に含まれる粒子状物質を捕集するフィルタと、フィルタに堆積した粒子状物質を除去する再生機構を有する。再生機構は、排気ガスに未燃燃料を添加する未燃燃料添加器を有し、フィルタに堆積した粒子状物質を未燃燃料によって燃焼させる。特許文献１に記載の再生機構は、フィルタの上流側に設けられるＮＯｘ触媒と、排気ガス温度から触媒の床温を推定する制御ユニットを有する。制御ユニットは、推定した触媒の床温に応じた空気量の上限流量閾値を決定し、上限流量閾値よりもエンジンの吸気量が多い場合に未燃燃料の添加量を少なくするように未燃燃料添加器を制御する。これにより未燃燃料が十分に酸化されずに排出されることを抑制する。
【０００３】
特許文献２に記載の再生機構は、フィルタの上流側に設けられるＮＯｘ触媒と、エンジン始動時からの総吸気量を算出する制御ユニットを有する。制御ユニットは、他の再生条件が満たされた時に総吸気量が基準値より多い場合に未燃燃料添加器を制御して未燃燃料を添加することで排気ガス浄化装置の再生を行い、少ない場合に未燃燃料を添加しない。これにより総吸気量が多い場合は、粒子状物質が燃焼した時に、排気ガスがフィルタから熱を持ち去る量が多いため、フィルタが高温限度を超えることが避けられる。総吸気量が少ない場合は、排気ガスがフィルタから熱を持ち去る量が少ないので、未燃燃料を添加せずフィルタの再生を行わないことによって高温限度を超えることが避けられる。かくして高温限度を超えることでフィルタの浄化機能が低下することが抑制され得る。
【先行技術文献】
【特許文献】
【０００４】
【特許文献１】特開２００７−３２１６１４号公報
【特許文献２】特開２００５−８３２５２号公報
【発明の概要】
【発明が解決しようとする課題】
【０００５】
しかしフィルタをさらに効率良く再生できる排気ガス浄化装置が従来必要とされている。
【課題を解決するための手段】
【０００６】
前記課題を解決するために本発明は、各請求項に記載の通りの構成を備える排気ガス浄化装置であることを特徴とする。一つの特徴によると本発明は、排気管と、排気管に設けられて排気ガス中に含まれる粒子状物質を捕集するフィルタと、フィルタに堆積した粒子状物質を除去する再生機構を有する。再生機構は、フィルタの上流において排気ガスに未燃燃料を添加する未燃燃料添加器と、排気ガスの温度を検出する排気ガス温度検出器と、エンジンに供給される空気流量またはエンジンから排出される空気流量を検出する空気流量検出器と、空気流量検出器から得た空気流量に基づいて下限温度閾値を決定しかつ排気ガス温度検出器から得た排気ガスの温度が下限温度閾値よりも高い場合に未燃燃料添加器を制御して未燃燃料を排気ガスに添加する制御ユニットを有する。
【０００７】
本発明者は、誠意研究した結果、排気管の壁温度が所定温度よりも低い場合に、例えば未燃燃料の沸点よりも低い場合に、未燃燃料が排気管の壁に液状として溜まる場合があることに気付いた。また本発明者は、排気管を流れる排気ガス（空気）の流量が多いほど、排気管の壁温度が排気ガス温度検出器の検出する排気ガスの温度に近くなることに着目した。すなわち排気管を流れる排気ガスの流量が多いほど、排気ガスが排気管の壁に触れる量が大きくなり、排気ガスから排気管の壁に熱が移動する量が多くなる。したがって排気管を流れる排気ガスの流量が多いほど、排気管の壁温度は排気ガスの温度に近くなり、排気管の壁温度が高くなる。一方、排気ガスの流量が少ない場合、排気ガスは主に排気管の中心部を通過し、排気ガスが排気管の壁に触れる量が減少するので、排気管の壁温度と排気ガスの温度との差が大きくなる。
【０００８】
本発明によると、排気管の壁温度が所定温度以上になる条件を満たした際に未燃燃料を添加する。すなわち排気管の壁温度は、排気ガスの温度のみならず排気ガスの流量すなわち空気流量に応じて変化する。これに対して制御ユニットは、空気流量に応じる温度として下限温度閾値を決定し、下限温度閾値と排気ガス温度に関連する温度を比較して、未燃燃料を添加するか否かを決定する。そのため排気管の壁温度が所定温度以上になった際に未燃燃料を添加し得る。また空気流量に応じて未燃燃料を添加するため、空気流量に係らずに未燃燃料を添加するか否かを判断しない形態に比べて、未燃燃料を添加し得る領域を広くされ得る。そのため粒子状物質を燃焼させる再生時間を長くすることができ、フィルタを効果的に再生し得る。また排気管に未燃燃料が溜まることを避けることができ、燃料消費の無駄が少なくなる。
【図面の簡単な説明】
【０００９】
【図１】排気ガス浄化装置を搭載したエンジンの構成図である。
【図２】下限温度閾値を示す流量―温度線図である。
【図３】フィルタ再生のフローチャートである。
【図４】フィルタ再生の他のフローチャートである。
【図５】車両走行時におけるフィルタ再生と堆積ＰＭ量を示す図である。
【発明を実施するための形態】
【００１０】
本発明の一つの実施の形態を図１〜５にしたがって説明する。図１に示すエンジン１０は、排気ガス浄化装置１を有するディーゼルエンジンである。エンジン１０は、複数（例えば４つ）の気筒１１と吸気管８と排気管７を有する。
【００１１】
吸気管８は、図１に示すように一つの入口から分岐して各気筒１１に連通する。吸気管８は、入口から新気（空気）を取り込み、各気筒１１に供給する。吸気管８には流量検出器２が設けられる。流量検出器２は、エアフローメータであって、吸気管８からエンジン１０に導入される新気の流量を測定し、空気流量情報を制御ユニット６に検知信号として発信する。流量検出器２の下流に吸気絞り弁１６が設けられる。吸気絞り弁１６の開度は、絞り弁センサ１７によって制御ユニット６に発信され、絞り弁センサ１７を介して制御ユニット６からの制御信号によって制御される。吸気管８は、吸気絞り弁１６の吸気下流において分岐して各気筒１１に接続される。
【００１２】
各気筒１１は、図１に示すようにシリンダ１１ａとシリンダ１１ａ内を移動するピストン１１ｂを有する。気筒１１に燃料噴射器１３が設けられる。燃料噴射器１３は、コモンレール１５を介して燃料ポンプ１４に接続される。燃料ポンプ１４は、制御ユニット６によって制御されて、燃料を燃料タンク１２から汲み上げ、燃料噴射器１３に供給する。燃料噴射器１３は、制御ユニット６によって制御されて、気筒１１内の燃焼室に燃料を供給する。
【００１３】
排気管７は、図１に示すように排気ガス上流管７ａ、第一収納管７ｂ、第二収納管７ｃ、排気ガス下流管７ｄを有する。排気ガス上流管７ａは、各気筒１１から延出しかつ集合し、第一収納管７ｂに接続される。第一収納管７ｂは、排気ガス上流管７ａよりも径が大きく、排気ガス上流管７ａから延出する。第二収納管７ｃは、第一収納管７ｂよりも径が大きく、第一収納管７ｂから延出する。排気ガス下流管７ｄは、第二収納管７ｃよりも径が小さく、第二収納管７ｃから延出する。排気ガス下流管７ｄの端部には、排気ガスを大気に放出する出口が形成される。
【００１４】
図１に示すように排気ガス浄化装置１は、フィルタ４と再生機構を有する。フィルタ（ＤＰＦ：Diesel Particular Filter）４は、セラミック、ステンレス等から形成される。フィルタ４は、第二収納管７ｃに収納される。フィルタ４は、排気ガスの通過を許容し、通過する排気ガスから粒子状物質（ＰＭ：Particulate Matter）を捕捉する。
【００１５】
再生機構は、フィルタ４を連続して再生させる機構であって、図１に示すように酸化触媒９と未燃燃料添加器３を有する。酸化触媒９は、フィルタ４の上流の第一収納管７ｂに収納される。酸化触媒９は、排気ガスが通過することを許容し、通過する排気ガス中の窒素酸化物（ＮＯｘ）をより二酸化窒素（ＮＯ２）の多い状態にする。酸化触媒９は、所定温度（例えば２５０―３００℃程度）において二酸化窒素を生成する。二酸化窒素は、強い酸化作用を有するため、フィルタ４に堆積した粒子状物質を比較的低い温度（例えば約２００℃）にて酸化除去する（燃焼させる）。
【００１６】
未燃燃料添加器３は、図１に示すように酸化触媒９の上流の排気ガス上流管７ａに設けられる。未燃燃料添加器３は、燃料ポンプ１４に接続され、制御ユニット６によって制御される制御弁を有する。未燃燃料添加器３の制御弁が開くことで、燃料ポンプ１４から排気管７内の排気ガスに未燃燃料が添加される。未燃燃料は、フィルタ４に堆積した粒子状物質を二酸化窒素の多い雰囲気にて燃焼させる。これによりフィルタ４が連続して再生される。
【００１７】
排気管７には、図１に示すように上流側排気ガス温度検出器５ａと下流側排気ガス温度検出器５ｂとＡ／Ｆセンサ２２が設けられる。上流側排気ガス温度検出器５ａは、温度センサであって、第一収納管７ｂに設けられる。下流側排気ガス温度検出器５ｂは、温度センサであって、第二収納管７ｃに設けられる。
【００１８】
上流側排気ガス温度検出器５ａは、酸化触媒９の上流側の排気ガスのガス温度を検出して、排気ガス温度情報を制御ユニット６に検知信号として発信する。下流側排気ガス温度検出器５ｂは、フィルタ４の下流側の排気ガスのガス温度を検出して、排気ガス温度情報を制御ユニット６に検知信号として発信する。Ａ／Ｆセンサ２２は、排気ガス下流管７ｄに設けられる。Ａ／Ｆセンサ２２は、空燃比（空気質量を燃料質量で割ったもの）を検出して、空燃比情報を制御ユニット６に検知信号として発信する。
【００１９】
エンジン１０には、図１に示すようにＥＧＲ（排気ガス再循環）システムが設けられる。ＥＧＲシステムは、ＥＧＲ管１８とＥＧＲ弁１９を有する。ＥＧＲ管１８は、排気管７と吸気管８を連通して、排気管７に排出された排気ガスの一部を吸気管８に戻す。ＥＧＲ弁１９は、制御ユニット６によって制御されて開度が調整され、ＥＧＲ管１８によって循環するガス流量を調整する。制御ユニット６は、流量検出器２やＥＧＲ弁１９の開度により空気流量を検出する。
【００２０】
制御ユニット（ＥＣＵ）６は、プログラムとデータを記憶するＲＯＭ、各種処理を行うＣＰＵ、ＣＰＵの処理結果等を記憶するＲＡＭ、外部との情報のやり取りを行う入・出力ポートを有する。入力ポートに回転速度検知器２０とアクセルセンサ２１と絞り弁センサ１７等が接続される。
【００２１】
回転速度検知器２０は、クランクシャフトの近傍に設けられてクランクシャフトの回転位置を検知する位置センサを有し、クランクシャフトの回転速度を検知する。回転速度検知器２０は、クランクシャフトの回転速度情報を制御ユニット６に検知信号として発信する。アクセルセンサ２１は、アクセルペダルの近傍に設けられてアクセルペダルが踏み込まれた量を検知する。アクセルセンサ２１は、アクセルペダルの移動量に対応したアクセルペダル情報を制御ユニット６に検知信号として発信する。
【００２２】
制御ユニット６は、入力ポートに接続された各機器から信号を受信し、受信した信号に基づいて出力ポートに接続された絞り弁センサ１７、燃料噴射器１３、燃料ポンプ１４、未燃燃料添加器３、ＥＧＲ弁１９等を制御する。
【００２３】
制御ユニット６のＲＯＭには、フィルタ再生を実行する際に使用する下限温度閾値マップが記憶されている。下限温度閾値マップは、制御ユニット６が未燃燃料を排気ガスに添加の有無の判断時に利用する下限温度閾値を取得するために使用される。下限温度閾値は、排気ガスが排気管７の壁に接触した際に未燃燃料が液状になって排気管７に溜まることを避け得る温度である。
【００２４】
排気管７の壁温度は、排気ガスの温度と排気ガスの流量に依存する。排気管７の壁温度と排気ガスの温度は、通常、差を有しており、その差は、排気ガス流量（空気流量）によって異なる。すなわち排気ガスの流量が少ない場合、排気ガスが排気管７の壁と接触する量が少なく、熱交換するエネルギ量が少ない。そのため排気管７の壁温度と排気ガスの温度の差が大きく、排気管７の壁温度が低くなる。一方、排気ガスの流量が多い場合は、排気ガスが排気管７の壁と接触する量が多く、熱交換するエネルギ量が多い。そのため排気管７の壁温度と排気ガスの温度の差が小さくなり、排気管７の壁温度が高くなる。
【００２５】
排気管７の壁温度を所定以上にするためには、排気ガスの流量（空気流量）が多い場合には、排気ガスの温度が比較的低くても良い。一方、排気ガスの流量が少ない場合には、排気ガスの温度が比較的高くなくなる必要がある。図２に示すように排気管７の壁温度を温度線２６以上にするためには、排気ガスの温度を排気ガス閾値温度線２４よりも上側の領域（ＰＭ再生添加可能領域２５）にする必要がある。
【００２６】
図２に示すように排気ガス閾値温度線２４は、空気流量が多くなるほどＰＭ再生添加が可能となる特性を有する。排気ガス閾値温度線２４の上側のＰＭ再生添加可能領域２５では、未燃燃料を添加した際に燃料が排気管７に溜まらない、あるいは溜まる量が非常に少ない。一方、排気ガス閾値温度線２４の下側領域では、排気ガスに未燃燃料を添加した場合、未燃燃料が排気管７に溜まりやすい。
【００２７】
下限温度閾値マップは、図２に対応するマップである。制御ユニット６は、下限温度閾値マップを用いて空気流量から下限温度閾値である排気ガス閾値温度を決定する。制御ユニット６は、排気ガス閾値温度よりも排気ガス温度が高い場合、すなわち図２に示すＰＭ再生添加可能領域２５において未燃燃料添加器３を制御して未燃燃料を排気ガスに添加する。排気ガス閾値温度よりも排気ガス温度が低い場合は、未燃燃料添加器３を制御して未燃燃料を排気ガスに添加しない。これにより未燃燃料は、排気管７に溜まらない温度領域でかつ広い領域で排気ガスに添加され得る。これにより排気管７に未燃燃料が溜まることが抑制され、かつ溜まった未燃燃料が大気に噴出することで生じ得る白煙の発生も抑制され得る。
【００２８】
フィルタ４を再生するプロセスを図３にしたがって説明する。先ず制御ユニット６がフィルタ４前後の差圧を測定する図示しない差圧センサの出力に基づいて、フィルタの再生が必要と判断した場合に、制御ユニット６はフィルタ４を再生するプロセスをスタートする。
【００２９】
制御ユニット６が上流側排気ガス温度検出器５ａの発信信号に基づいて排気ガス温度を得る（ステップＳ１）。制御ユニット６が流量検出器２やＥＧＲ弁１９からの発信信号に基づいて空気流量を得る（ステップＳ２）。制御ユニット６が下限温度閾値マップを用いて空気流量から排気ガス温度閾値を得る（ステップＳ３）。次に制御ユニット６は、排気ガスの温度が排気ガス温度閾値よりも高いか否かを判断する（ステップＳ４）。
【００３０】
制御ユニット６は、ステップＳ４において排気ガスの温度が排気ガス温度閾値よりも高いと判断した場合、ＰＭ再生添加を許可する（ステップＳ５）。そして、下流側排気ガス温度検出器５ｂの値が所定の範囲内になるように、未燃燃料添加器３を制御して未燃燃料を排気管７内の排気ガスに一定期間添加し（ステップＳ６）、ステップ１に戻る。
【００３１】
一方、ステップＳ４において排気ガスの温度が排気ガス温度閾値よりも低いと制御ユニット６が判断した場合、制御ユニット６は、ＰＭ再生添加を禁止して、未燃燃料添加器３の制御弁を閉じる。これにより未燃燃料は、排気管７内の排気ガスに添加されない（ステップＳ７）。そしてステップＳ１に戻る。
【００３２】
そして、再生が終了するまで上記ステップＳ１〜Ｓ７を繰り返す。ステップＳ６による未燃燃料の添加の結果、差圧センサの出力により制御ユニット６がフィルタ４を再生するプロセスが終了（ＰＭ再生終了）したと判断した場合、ステップＳ８に移行し、このプロセスを終了する。
【００３３】
フィルタ４を再生するプロセスは、図３に代えて図４に示すプロセスでも良い。図４のプロセスでは、先ず制御ユニット６がフィルタ４前後の差圧を測定する図示しない差圧センサの出力に基づいて、フィルタの再生が必要と判断した場合に、制御ユニット６はフィルタ４を再生するプロセスをスタートする。
【００３４】
制御ユニット６が上流側排気ガス温度検出器５ａの発信信号から排気ガス温度を得る（ステップＳ１１）。制御ユニット６が流量検出器２やＥＧＲ弁１９の発信信号から空気流量を得る（ステップＳ１２）。制御ユニット６は、排気ガス温度と空気流量から排気管７の壁温度を推定する（ステップＳ１３）。壁温度は、例えば排気ガス温度と空気流量から計算式を用いてあるいはマップを用いて決定される。
【００３５】
次に、制御ユニット６は、壁温度閾値マップを用いて下限温度閾値として壁温度閾値を得る（ステップＳ１４）。壁温度閾値マップは、予め適合により、例えば回転速度検知器２０、アクセルセンサ２１、車両の速度等から決定されるマップとして制御ユニット６のＲＯＭに記憶されている。制御ユニット６は、壁温度閾値マップを用いて壁温度閾値を得る。次に、制御ユニット６は、推定した排気管７の壁温度が壁温度閾値よりも高いか否か判断する（ステップＳ１５）。
【００３６】
制御ユニット６は、ステップＳ１５において推定した排気管７の壁温度が壁温度閾値よりも高いと判断した場合、ＰＭ再生添加を許可する（ステップＳ１６）。そして、下流側排気ガス温度検出器５ｂの値が所定の範囲内になるように、未燃燃料添加器３を制御して未燃燃料を一定期間排気ガスに添加し（ステップＳ１７）、ステップＳ１１に戻る。
【００３７】
ステップＳ１５において推定した排気管７の壁温度が壁温度閾値よりも低いと制御ユニット６が判断した場合、制御ユニット６は、ＰＭ再生添加を禁止し、未燃燃料添加器３の制御弁を閉じる。これにより未燃燃料は、排気ガスに添加されない（ステップＳ１７）。そしてステップＳ１１に戻る。
【００３８】
そして、再生が終了するまで上記ステップＳ１１〜Ｓ１８を繰り返す。ステップＳ１７による未燃燃料の添加の結果、差圧センサの出力により制御ユニット６がフィルタ４を再生するプロセスが終了（ＰＭ再生終了）したと判断した場合ステップＳ１９に移行し、このプロセスを終了する。
【００３９】
図５は、本形態によるフィルタ４の再生と、比較形態によるフィルタ４の再生の比較をまとめた結果である。本形態では、図２に示すように空気流量が多いほど下限温度閾値を下げてフィルタ４の再生を行う。比較形態では、下限温度閾値を図２の温度線２７に示すように空気流量によらずに、かつ空気流量が少ない場合でも未燃燃料が排気管７に溜まる量が少ないように比較的高い温度で一定にした。
【００４０】
図５に、エンジン１０で車両を空気流量が多い状態で走行させ、排気ガスの温度が変化した場合の再生状態を表す。本形態は領域３１においてフィルタ４の再生処理が行われる。一方、比較形態では領域３２においてフィルタ４の再生処理が行われる。フィルタ４に堆積した粒子状物質は、再生処理の時間に比例して減少して本形態では図５の線３３に従って減少し、比較形態では線３４に従い減少した。したがって本形態は、比較形態に比べてフィルタ４に堆積した粒子状物質の再生を早く終了させ得る。
【００４１】
以上のように排気ガス浄化装置１は、図１に示すように排気管７と、排気管７に設けられて排気ガス中に含まれる粒子状物質を捕集するフィルタ４と、フィルタ４に堆積した粒子状物質を除去する再生機構を有する。再生機構は、フィルタ４の上流において排気ガスに未燃燃料を添加する未燃燃料添加器３と、排気ガスの温度を検出する排気ガス温度検出器（上流側排気ガス温度検出器５ａ）と、エンジン１０に供給される空気流量を検出する流量検出器２と、流量検出器２やＥＧＲ弁１９の開度から得た空気流量に基づいて下限温度閾値を決定しかつ上流側排気ガス温度検出器５ａから得た排気ガスの温度から得た温度が下限温度閾値よりも高い場合に未燃燃料添加器３を制御して未燃燃料を排気ガスに添加する制御ユニット６を有する。
【００４２】
排気管７の壁温度が所定温度よりも低い場合に、例えば未燃燃料の沸点よりも低い場合に、未燃燃料が排気管７の壁に液状として溜まる場合があることに気付いた。また本発明者は、排気管７を流れる排気ガス（空気）の流量が多いほど、排気管７の壁温度が排気ガスの温度に近くなることに着目した。すなわち排気管７を流れる排気ガスの流量が多いほど、排気ガスが排気管７の壁に触れる量が大きくなり、排気ガスから排気管７の壁に熱が移動する量が多くなる。したがって排気管７を流れる排気ガスの流量が多いほど、排気管７の壁温度は排気ガスの温度に近くなり、排気管７の壁温度が高くなる。一方、排気ガスの流量が少ない場合、排気ガスは主に排気管７の中心部を通過し、排気ガスが排気管７の壁に触れる量が減少するので、排気管７の壁温度と排気ガスの温度との差が大きくなる。
【００４３】
本形態によると、排気管７の壁温度が所定以上になる条件を満たした際に未燃燃料を添加する。すなわち排気管７の壁温度は、排気ガスの温度のみならず排気ガスの流量すなわち空気流量に応じて変化する。これに対して制御ユニット６は、空気流量に応じる温度として下限温度閾値を決定し、下限温度閾値と排気ガス温度に関連する温度を比較して、未燃燃料を添加するか否かを決定する。そのため排気管７の壁温度が所定温度以上になった際に未燃燃料を添加し得る。また空気流量に応じて未燃燃料を添加するため、空気流量に係らずに未燃燃料を添加するか否かを判断しない形態に比べて、未燃燃料を添加し得る領域を広くされ得る。そのため粒子状物質を燃焼させる時間を長くすることができ、フィルタ４を効果的に再生し得る。また排気管７に未燃燃料が溜まることを避けることができ、再生を早く終了させることで燃料消費の無駄が少なくなる。
【００４４】
本形態のフィルタ４の再生は、排気管７に未燃燃料が溜まることを避けるために排気管７の壁温度を考慮した再生を行う。しかし排気管７の壁温度を直接検知することなく、排気ガスの温度を利用してフィルタ４の再生を行う。したがって排気管７の壁に装着することが容易でないセンサを用いることなく、排気ガスの温度を利用して簡易に排気管７の壁温度を考慮した再生を行い得る。
【００４５】
制御ユニット６は、空気流量が多いほど下限温度閾値を小さくする制御を有する。したがって排気管７の壁温度に対応して未燃燃料が添加され得る。すなわち排気管７の壁温度は、空気流量が多いほど、排気ガスの温度に近くなり高くなる。逆に排気管７の壁温度を所定温度以上にするために必要な排気ガス温度等は、空気流量が多いほど小さくなる。したがって下限温度閾値を用いることで、未燃燃料を広い領域において添加し得る。
【００４６】
制御ユニット６は、下限温度閾値として排気ガス温度閾値を決定するマップを記憶しており、上流側排気ガス温度検出器５ａから得た排気ガスの温度が排気ガス温度閾値よりも高い場合に未燃燃料を排気ガスに添加する（図３参照）。したがって制御ユニット６は、排気ガスの温度を基準として未燃燃料の添加の可否を決定する。
【００４７】
制御ユニット６は、図４を参照するように流量検出器２やＥＧＲ弁１９から得た空気流量と、上流側排気ガス温度検出器５ａから得た排気ガス温度から排気管７の壁温度を推定し、推定した排気管７の壁温度と空気流量から下限温度閾値としての壁温度閾値を決定し、推定した排気管７の壁温度が壁温度閾値よりも高い場合に未燃燃料添加器３を制御して未燃燃料を排気ガスに添加する。したがって制御ユニット６は、排気管７の壁温度を基準として未燃燃料の添加の可否を決定する。
【００４８】
流量検出器２は、エンジン１０に供給される新気の流量を検出するエアフローメータを利用する。したがって空気流量は、エアフローメータによって直接的に測定される。
【００４９】
排気管７は、図１に示すように未燃燃料添加器３の下流において径が異なる部分を有する。例えば排気ガス上流管７ａと第一収納管７ｂと第二収納管７ｃと排気ガス下流管７ｄは、相互に異なる径を有する。径が異なる部分では、排気ガスの流れの遅い部分が生じやすく、流れの遅い部分において未燃燃料が液体として溜まる可能性が高い。これに対して本形態では、未燃燃料が液体として溜まらないように排気管７の壁温度を考慮して未燃燃料を添加する。
【００５０】
本発明は、上記実施の形態に限定されず、以下の形態等であっても良い。例えば排気ガス浄化装置１は、上記実施の形態のように流量検出器２としてエンジンに供給される空気流量を検出するエアフローメータを有していても良いし、未燃燃料添加器３の上流においてエンジンから排出される空気流量を検出するエアフローメータを有していても良い。
【００５１】
排気ガス浄化装置１は、空気流量を検出する流量検出器２やＥＧＲ弁１９の代わりとしてとして温度センサと過給圧センサとを利用する形態でも良い。温度センサと過給圧センサは、気筒１１の上流に設けられ、吸入空気の温度と図示省略の過給機によって加圧された気筒１１の上流の圧力とを検出し、検出情報を制御ユニット６に検知信号として発信する。この形態においては、制御ユニット６は、過給圧センサから得た圧力と、回転速度検知器２０からの回転速度から得られるエンジン回転数と、気筒１１の上流に設けられて気筒１１の上流のガス温度を測定する温度センサから得た温度から空気流量を算出する。
【００５２】
排気ガス浄化装置１は、空気流量を検出する流量検出器２としてＡ／Ｆセンサ２２を利用する形態でも良い。制御ユニット６は、Ａ／Ｆセンサ２２から得た空燃比と、燃料噴射器１３によって気筒１１に噴射した燃料噴射量から空気流量を算出しても良い。
【００５３】
排気ガス浄化装置１は、排気管７の排気ガス中に未燃燃料を添加する未燃燃料添加器３を有していても良いし、燃焼行程後の気筒１１に未燃燃料をポスト噴射する燃料噴射器１３を利用する形態でも良い。
【００５４】
排気ガス温度検出器（上流側排気ガス温度検出器５ａ）は、排気管７の第二収納管７ｃ内においてフィルタ４の上流側に設けられても良いし、排気管７の他の場所に設けられても良い。
【００５５】
制御ユニット６は、空気流量が多いほど未燃燃料添加器３を制御して未燃燃料を排気ガスに添加する下限温度閾値を小さくしていたが、エンジンの運転条件などにより、排気ガスによる熱の持ち去りが、未燃燃料の添加によるフィルタ４の昇温よりも大きいことが下流側排気ガス温度検出器５ｂの検出値より判定された場合は、空気流量に関わらず未燃燃料の添加を中止しても良い。
【００５６】
排気ガス浄化装置１の再生機構は、フィルタ４に堆積した粒子状物質を二酸化窒素の多い雰囲気下において燃焼しても良いし、酸素雰囲気において燃焼しても良い。
【符号の説明】
【００５７】
１     排気ガス浄化装置
２     流量検出器
３     未燃燃料添加器
４     フィルタ
５ａ   上流側排気ガス温度検出器（排気ガス温度検出器）
５ｂ   下流側排気ガス温度検出器
６     制御ユニット
７     排気管
８     吸気管
９     酸化触媒
１０   エンジン
１１   気筒
１２   燃料タンク
１３   燃料噴射器
１４   燃料ポンプ
２０   回転速度検知器
２１   アクセルセンサ
２２   Ａ／Ｆセンサ
２４   排気ガス閾値温度線
２５   再生添加可能領域
【図１】
2013044238.tif 000003
【図２】
2013044238.tif 000004
【図３】
2013044238.tif 000005
【図４】
2013044238.tif 000006
【図５】
2013044238.tif 000007
【手続補正書】
【提出日】平成24年10月29日(2012.10.29)
【手続補正１】
【補正対象書類名】特許請求の範囲
【補正対象項目名】全文
【補正方法】変更
【補正の内容】
【特許請求の範囲】
【請求項１】
エンジンの排気ガス浄化装置であって、
排気管と、前記排気管に設けられて排気ガス中に含まれる粒子状物質を捕集するフィルタと、前記フィルタに堆積した前記粒子状物質を除去する再生機構を有し、
前記再生機構は、前記フィルタの上流において前記排気ガスに未燃燃料を添加する未燃燃料添加器と、前記排気ガスの温度を検出する排気ガス温度検出器と、前記エンジンに供給される空気流量または前記エンジンから排出される空気流量を検出する空気流量検出器と、前記空気流量検出器から得た前記空気流量と前記排気ガス温度検出器から得た前記排気ガス温度とに基づいて前記排気管の壁温度を推定し、少なくとも回転速度検出器とアクセルセンサと車両の速度からなりかつ前記空気流量以外の条件からなるマップから壁温度閾値を決定し、推定した前記排気管の壁温度が前記壁温度閾値よりも高い場合に前記未燃燃料添加器を制御して前記未燃燃料を前記排気ガスに添加する排気ガス浄化装置。
【請求項２】
請求項１に記載の排気ガス浄化装置であって、
前記未燃燃料添加器と前記フィルタの間に酸化触媒が配置されている排気ガス浄化装置。
【請求項３】
請求項１または２に記載の排気ガス浄化装置であって、
前記制御ユニットは、前記空気流量が多いほど前記排気管の壁温度の推定値を大きくする制御を有する排気ガス浄化装置。
【請求項４】
請求項１〜３のいずれか１つに記載の排気ガス浄化装置であって、
前記排気ガス温度検出器は、前記フィルタの下流側に配置され、
前記制御ユニットは、前記エンジンの運転条件により、前記排気ガスによる熱の持ち去りが、前記未燃燃料の添加による前記フィルタの昇温よりも大きいことを、前記フィルタの下流側に配置された排気ガス温度検出器の検出値より判定した場合に前記空気流量に関わらず未燃燃料の添加を中止する排気ガス浄化装置。
【請求項５】
請求項１〜４のいずれか１つに記載の排気ガス浄化装置であって、
前記空気流量検出器は、前記エンジンに供給される新気の流量を検出するエアフローメータ、前記排気ガスに含まれる空気と燃料の比率を検出するＡ／Ｆセンサ、前記エンジンの気筒に供給される空気の圧力を検出する過給圧センサのうちの１つを利用する排気ガス浄化装置。
【手続補正２】
【補正対象書類名】明細書
【補正対象項目名】０００６
【補正方法】変更
【補正の内容】
【０００６】
前記課題を解決するために本発明は、各請求項に記載の通りの構成を備える排気ガス浄化装置であることを特徴とする。一つの特徴によると本発明は、排気管と、排気管に設けられて排気ガス中に含まれる粒子状物質を捕集するフィルタと、フィルタに堆積した粒子状物質を除去する再生機構を有する。再生機構は、フィルタの上流において排気ガスに未燃燃料を添加する未燃燃料添加器と、排気ガスの温度を検出する排気ガス温度検出器と、エンジンに供給される空気流量またはエンジンから排出される空気流量を検出する空気流量検出器と、空気流量検出器から得た空気流量と排気ガス温度検出器から得た排気ガス温度とに基づいて排気管の壁温度を推定し、少なくとも回転速度検出器とアクセルセンサと車両の速度からなりかつ空気流量以外の条件からなるマップから壁温度閾値を算出し、推定した排気管の壁温度が壁温度閾値よりも高い場合に未燃燃料添加器を制御して未燃燃料を排気ガスに添加する制御ユニットを有する。
【手続補正３】
【補正対象書類名】明細書
【補正対象項目名】０００８
【補正方法】変更
【補正の内容】
【０００８】
本発明によると、排気管の壁温度が所定温度以上になる条件を満たした際に未燃燃料を添加する。すなわち排気管の壁温度は、排気ガスの温度のみならず排気ガスの流量すなわち空気流量に応じて変化する。これに対して制御ユニットは、空気流量に応じる温度として壁温度を推定し、推定した壁温度と壁温度閾値を比較して、未燃燃料を添加するか否かを決定する。そのため排気管の壁温度が所定温度以上になった際に未燃燃料を添加し得る。また空気流量に応じて未燃燃料を添加するため、空気流量に係らずに未燃燃料を添加するか否かを判断しない形態に比べて、未燃燃料を添加し得る領域を広くされ得る。そのため粒子状物質を燃焼させる再生時間を長くすることができ、フィルタを効果的に再生し得る。また排気管に未燃燃料が溜まることを避けることができ、燃料消費の無駄が少なくなる。
【手続補正４】
【補正対象書類名】明細書
【補正対象項目名】００４７
【補正方法】変更
【補正の内容】
【００４７】
制御ユニット６は、図４を参照するように流量検出器２やＥＧＲ弁１９から得た空気流量と、上流側排気ガス温度検出器５ａから得た排気ガス温度から排気管７の壁温度を推定し、例えば回転速度検知器２０、アクセルセンサ２１、車両の速度等から決定される空気流量以外の条件からなるマップから壁温度閾値を決定し、推定した排気管７の壁温度が壁温度閾値よりも高い場合に未燃燃料添加器３を制御して未燃燃料を排気ガスに添加する。したがって制御ユニット６は、排気管７の壁温度を基準として未燃燃料の添加の可否を決定する。